(57)【要約】【課題】簡易な構成で美容液等の皮膚への浸透を図ることができ且つ美肌効果に優れる手軽な美容機器を提供する。【解決手段】本発明にかかる美容機器１は、美容液等を含浸するパッド３と、ポップ具５とを備え、ポップ具５は把持部７と、パッド３を装着するパッド装着部９と、パッド装着部９を把持部７に対して振動可能に支持する弾性支持部１１とを有し、パッド装着部９は、圧電素子１５と圧電素子で発生した電流が流れる電極２１、２１とを有し、パッド３を皮膚に叩き当てることにより圧電素子１５で発生した電流を電極２１、２１からパッド３に通電する。【選択図】図１
2015033459.tif 000002
【特許請求の範囲】
【請求項１】
美容液等を含浸するパッドと、ポップ具とを備え、ポップ具は把持部と、パッドを装着するパッド装着部と、パッド装着部を把持部に対して振動可能に支持する弾性支持部とを有し、パッド装着部は、圧電素子と圧電素子で発生した電流が流れる電極とを有し、パッドを皮膚に打ち当てることにより圧電素子で発生した電流を電極からパッドに通電することを特徴とする美容機器。
【請求項２】
パッド装着部は、圧電素子に取り付けた錘部材を備えることを特徴とする請求項１に記載の美容機器。
【請求項３】
パッド装着部は圧電素子及び電極を収納するケースを備え、パッド装着部のケースと把持部と弾性支持部とが樹脂材で一体成型してあることを特徴とする請求項２に記載の美容機器。
【発明の詳細な説明】
【技術分野】
【０００１】
本発明は、美容液等を皮膚に塗布する美容機器に関する。
【背景技術】
【０００２】
この種の従来技術として、特許文献１には、美容液等を含浸したパッドに超音波振動子を付与する美容機器が開示されている。
【先行技術文献】
【特許文献】
【０００３】
【特許文献１】特開２００７−５０２０４号公報
【発明の概要】
【発明が解決しようとする課題】
【０００４】
しかし、特許文献１に記載の美容機器は、超音波振動を発生する為の発信機や振動子を必要とするので構成が複雑になると共に電源を必要とするという不都合があった。
一方、簡易な構成で美容液等を皮膚に浸透し易くした手軽な美容機器が望まれていた。
【０００５】
そこで、本発明は、簡易な構成で美容液等の皮膚への浸透を図ることができ且つ美肌効果に優れる手軽な美容機器を提供することを目的とする。
【課題を解決するための手段】
【０００６】
前記課題を解決するために、請求項１に記載された発明は、美容液等を含浸するパッドと、ポップ具とを備え、ポップ具は把持部と、パッドを装着するパッド装着部と、パッド装着部を把持部に対して振動可能に支持する弾性支持部とを有し、パッド装着部は、圧電素子と圧電素子で発生した電流が流れる電極とを有し、パッドを皮膚に打ち当てることにより圧電素子で発生した電流を電極からパッドに通電することを特徴とする美容機器である。
美容液等には、美容液のほかに、ビタミン液、化粧液、発毛促進液等がある。
【０００７】
請求項２に記載された発明は、請求項１に記載の発明において、パッド装着部は、圧電素子に取り付けた錘部材を備えることを特徴とする。
【０００８】
請求項３に記載された発明は、請求項２に記載の発明において、パッド装着部は圧電素子及び電極を収納するケースを備え、パッド装着部のケースと把持部と弾性支持部とが樹脂材で一体成型してあることを特徴とする。
【発明の効果】
【０００９】
請求項１に記載された発明は、把持部を持ってパッドを皮膚に叩き当てるようにして使用する。
パットが皮膚に当たると圧電素子がその衝撃を受けて圧せられて電力を発生し、電極に電流を流し、電極からパッドに電流を流す。パッドに含浸されている美容液等を通じて、皮膚に電流が流れることにより皮膚が電気的刺激を受ける。これにより、皮膚の代謝機能の促進や血行を促進することができる。また、パッドで皮膚を叩いて皮膚に刺激を与えることによっても皮膚の代謝機能を促進できるから、電気的刺激と併せた相乗効果を得ることができる。
また、パッドに電流が流れることにより、パッドに含浸されている美容液等のイオン化を図ることができる。イオン化された美容液等は肌に付着しやすくなると共に肌の毛穴からの老廃物の除去や清浄化を促進する。
パッドの叩き加減を自在に調節できるので、個々にあった電気的刺激や発生する電力を調整できるので操作性が良い。
電源や乾電池等が不要であるから、簡易な構成で手軽である。
【００１０】
請求項２に記載された発明によれば、請求項１に記載の作用効果を奏すると共に、圧電素子の感圧を高めることができ、発生する電力を大きくできる。
また、パッド装着部の重量が増して振れを大きくでき、パッドで皮膚を叩き易い。
【００１１】
請求項３に記載された発明によれば、請求項２に記載の作用効果を奏すると共に、部品点数を少なくでき、製造し易い。
【図面の簡単な説明】
【００１２】
【図１】本発明の実施の形態に係る美容機器の図であり、パッドを装着したポップ具を図２（ａ）に示すＢ−Ｂ位置で切断して示す断面図である。
【図２】本発明の実施の形態に係る美容機器のポップ具の図であり、（ａ）は正面から見た平面図、（ｂ）は側面図、（ｃ）は（ａ）に示すＡ−Ａ断面図であり、（ｄ）は背面図である。
【図３】本発明の実施の形態に係る美容機器の分解斜視図である。
【図４】本発明の実施の形態に係る美容機器のパッドとポップ具を分離して示す斜視図である。
【図５】本発明の実施の形態に係る美容機器の使用状態を示す斜視である。
【発明を実施するための形態】
【００１３】
以下に、添付図面の図１〜５を参照して本発明の実施の形態について説明する。図３及び図４に示すように、本発明の実施の形態にかかる美容機器１は、美容液等を含浸するパッド３と、ポップ具５とを備えており、ポップ具５は、把持部７と、パッド装着部９と、パッド装着部９と把持部７との間に設けた弾性支持部１１とを有している。
パッド３は、繊維でできており、布、不織布等である。パッドは、帽子状に形成してあり、ポップ具５のパッド装着部９の電極面（背面）を覆うようにして被せてある。
このパッド３には、美容液が含浸されている。
【００１４】
ポップ具５は、図３に示すように、把持部７と、パッド装着部９のケース１３と、弾性支持部１１とが樹脂材で一体成型してある。
把持部７は、板状であり、指先で挟み持つようになっている。
パッド装着部９のケース１３内には圧電素子１５と、圧電素子１５に固定された錘部材１７と、基板１９と、一対の電極２１、２１とが収納されており、カバー２３で蓋をしてある。また、ケース１３とカバー２３との間には、Ｏ−リング２５を設けて密閉してある。
圧電素子１５は基板１９に電気的に接続してあり、圧電素子１５で発生する電力は基板１９で整流して、基板１９に電気的に接続してある一対の電極２１、２１に電流を流すようになっている。
一対の電極２１、２１は、一方がプラス極であり、他方がマイナス極としてある。各電極２１、２１は背面側部２１ａをケース１３の背面に露出して設けてある。各電極２１、２１の背面側部２１ａは、略半円の環状を成している。
尚、カバー２３の正面側に設けてあるのは、フロントシート２７である。
弾性支持部１１は、帯状であり、背面側と正面側とに弾性を持って振れるように形成してある。
【００１５】
次に、本実施の形態に係る美容機器１の使用方法、作用効果について説明する。
美容機器１の使用時には、図４に示すように、美容液を含浸したパッド３をポップ具５のパッド装着部９に取付ける。尚、美容液はパッド３を装着部９に取付けた後に、パッド３に含浸させても良い。
そして、図５に示すように、ポップ具５の把持部７を手の指で摘んで把持し、パッド３で皮膚を叩く。
パッド３が皮膚に当たると、その慣性力によりパッド装着部９に収納されている圧電素子１７が錘部材１７に圧せられて電力を発生し、発生した電力は基板１９で整流された後、電極２１、２１に直流電流として流れる。
電極２１、２１に流れる電流は、パッド３に含浸されている美容液を通じて皮膚に流れる。
また、美容液は電極２１、２１から電流を受けることにより、一部がイオン化される。そして、パッド３が皮膚に当たったときにパッド３が圧せられて、一部イオン化した美容液がパッド３から皮膚に染み出して供給される。
尚、パッド３で皮膚を叩く力を加減することにより、美容液の染み出しや皮膚へ流れる電流を調整する。
【００１６】
本実施の形態によれば、パッド３に含浸されている美容液を通じて、皮膚に電流が流れることにより皮膚が電気的刺激を受けるから、皮膚の代謝機能の促進や血行を促進することができる。また、パッド３で皮膚を叩いて皮膚に刺激を与えることによっても皮膚の代謝機能を促進できるから、電気的刺激と併せた相乗効果を得ることができる。
また、パッド３に電流が流れることにより、パッド３に含浸されている美容液がイオンされ、イオン化された美容液は肌に付着しやすくなると共に肌の毛穴からの老廃物の除去や清浄化を促進できる。
パッド３の叩き加減を自在に調節できるので、個々にあった電気的刺激や発生する電力を調整できるので操作性が良い。
本実施の形態にかかる美容機器１は、圧電素子１５を利用しているので、電源や乾電池等の電力を必要としないので、構成が簡易で安価に製造できる。
【００１７】
パッド装着部９には錘部材１７を設けてあるので、圧電素子１５を圧する力を高めることができると共にパッド装着部９の重量が増して振れを大きくでき、皮膚を叩き易い。
【００１８】
ポップ具５は、図３に示すように、把持部７と、パッド装着部９のケース１３と、弾性支持部１１とが樹脂材で一体成型してあるから、部品点数を少なくでき、製造し易い。
【００１９】
本発明は、前述した実施形態に限定されず、その要旨を逸脱しない範囲で種々変形可能である。
例えば、圧電素子１５は一つに限らず、複数設けても良く。圧電素子１５を複数設ける場合には、圧電素子１５を並列に配置しても良いし、直列に配置しても良い。
また、パッド３は顔を叩くことに限らず、頭や足や腕等の皮膚を叩くものであっても良い。頭に用いる場合には、発毛用のビタミン液や発毛促進液をパッド３に含浸させるものであっても良い。
【符号の説明】
【００２０】
１    美容機器
３    パッド
５    ポップ具
７    把持部
９    パッド装着部
１１  弾性支持部
１５  圧電素子
１７  錘部材
２１  電極
【図１】
2015033459.tif 000003
【図２】
2015033459.tif 000004
【図３】
2015033459.tif 000005
【図４】
2015033459.tif 000006
【図５】
2015033459.tif 000007